【手続補正書】
【提出日】平成27年5月18日(2015.5.18)
【手続補正１】
【補正対象書類名】特許請求の範囲
【補正対象項目名】全文
【補正方法】変更
【補正の内容】
【特許請求の範囲】
【請求項１】
切除された脛骨面の解剖学的前後軸と揃うように設計にされた部品前後軸を示す整列印（７０Ａ、７０Ｐ）を有する人工脛骨を備える器具であって、
前記解剖学的前後軸は、
前方に位置する脛骨結節（Ｂ）上に配置される前方点（ＣA）であって、前記結節の内側外側方向の全幅（ＡML）の１／６に等しい量だけ結節の中点（ＰT）から離れ、それにより前記前方点が前記結節の内側１／３の位置にある、前方点（ＣA）と、
後十字靭帯に対する脛骨上の接続点によって規定される領域の幾何学的中心に配置された後方点（ＣP）と、を結ぶ、器具。
【請求項２】
前記人工脛骨が、
前縁（２０２）と、
前記人工脛骨の外側区画（２０）と内側区画（２２）との間に配置さ、前記前縁とは概ね反対側に位置するＰＣＬ切除領域（２８）と、を含み、
前記部品前後軸が、前記前縁と前記ＰＣＬ切除領域を二分する、請求項１に記載の器具。
【請求項３】
前記内側区画（２２）が前記部品前後軸と協働して内側表面積（ＳＡＭ）を取り囲み、
前記外側区画（２０）が前記部品前後軸と協働して外側表面積（ＳＡＬ）を取り囲み、
前記内側表面積が前記外側表面積よりも広い、
請求項２に記載の器具。
【請求項４】
前記内側表面積（ＳＡＭ）が、前記内側表面積と前記外側表面積との合計の約５２％〜約５３％を占める、請求項３に記載の器具。
【請求項５】
前記人工脛骨が、協働して周壁（２５）を規定する外側区画（２０）と内側区画（２２）を有し、前記周壁が、
前縁（２０２）と、
前記前縁とは概ね反対側に位置し、前記外側区画の後方境界線を形成する外側後縁（２０４）と、
前記前縁とは概ね反対側に位置し、前記内側区画の後方境界線を形成する内側後縁（２０６）と、
前記前縁から前記外側後縁まで延びる外側外周と、
前記前縁から前記内側後縁まで延びる内側外周と、を備え、
前記外側区画が前記部品前後軸に対して前記内側区画と非対称になり部品非対称性を規定し、
前記部品非対称性は、前記切除された脛骨面の対応する非対称性に一致するよう構成され、それにより、人工脛骨に前記切除された脛骨面の大部分を覆わせる、請求項１に記載の器具。
【請求項６】
前記部品非対称性が表面積非対称性を含み、前記表面積非対称性には、
前記内側外周が前記部品前後軸と協働して内側表面積（ＳＡＭ）を取り囲み、
前記外側外周が前記部品前後軸と協働して外側表面積（ＳＡＬ）を取り囲み、
前記内側表面積は前記外側表面積より広く、
より広いほうの前記内側表面積を前記切除された脛骨面の対応する内側部に一致し、
より狭いほうの前記外側表面積を前記切除された脛骨面の対応する外側部に一致することが含まれる、請求項５に記載の器具。
【請求項７】
前記内側表面積（ＳＡＭ）が、その内側表面積と前記外側表面積との合計の約５２％〜約５４％を占める、請求項６に記載の器具。
【請求項８】
脛骨の約６０％〜約９０％を覆うことで前記切除された脛骨面と前記周壁との間の全ての側部に緩衝ゾーンを作り出すように構成される請求項５に記載の器具。
【請求項９】
前記部品非対称性が前後長非対称性を含み、前記前後長非対称性には、
前記外側区画（２０）が、前記周壁（２５）の前縁（２０２）から外側後縁（２０４）まで延びる外側前後長（ＤＡＰＬ）を規定し、
前記内側区画（２２）が、前記周壁の前縁から内側後縁まで延びる内側前後長（ＤＡＰＭ）を規定し、
前記内側前後長が前記外側前後長よりも長いことが含まれ、
より長いほうの前記内側前後長が前記切除された脛骨面の対応する内側部に一致し、
より短いほうの前記外側前後長が前記切除された脛骨面の対応する外側部に一致すること、を含む、請求項５に記載の器具。
【請求項１０】
前記部品非対称性が前後コーナー非対称性を含み、前記前後コーナー非対称性には、
前記内側外周の前−内側コーナーが前−内側コーナー半径（Ｒ１Ｒ）を規定し、
前記外側外周の前−外側コーナーが前−外側コーナー半径（Ｒ２Ｌ）を規定し、
より短いほうの前記前−外側コーナー半径が前記切除された脛骨面の対応する外側部に一致し、
より長いほうの前記前−内側コーナー半径が前記切除された脛骨面の対応する内側部に一致することが含まれる、請求項５に記載の器具。
【請求項１１】
前記部品非対称性が内側−外側非対称性を含み、前記内側−外側非対称性には、
前記外側外周が、複数の隣り合う外側円弧（２０８、２１０、２１２、２１４、２１６）を規定し、前記複数の隣り合う外側円弧の隣り合う１つのペアが、第１の外側半径と第２の外側半径とをそれぞれ規定し、第１の外側半径は第２の外側半径より少なくとも１００％大きく、
前記外側外周が前記切除された脛骨面の外側部に一致されること、が含まれる、請求項５に記載の器具。
【請求項１２】
前記部品非対称性が内側−外側非対称性を含み、前記内側−外側非対称性には、
前記内側外周が、複数の隣り合う内側円弧（２２０、２２２、２２４）を規定し、前記複数の隣り合った内側円弧の隣り合う１つのペアが、第１の内側半径と第２の内側半径とをそれぞれ規定し、第１の内側半径は第２の内側半径より７５％未満大きく、
前記内側外周が前記切除された脛骨面の内側部に一致されること、が含まれる、請求項５に記載の器具。
【請求項１３】
請求項５に記載の器具において、前記人工脛骨が脛骨ベースプレート（１２）を備え、この器具がさらに、脛骨支持部品（１４）であって、
前記人工脛骨の外側外周に実質的に対応する外側支持部（３９）と、
少なくとも部分的に前記人口脛骨の内側外周と一致しない内側支持部（４１）と、を有する脛骨支持部品（１４）、
を備える器具。
【請求項１４】
前記内側支持部（４１）が前記人工脛骨の前記内側区画（２２）に対して前方に偏るように、前記脛骨ベースプレート（１２）に取り付けられた前記脛骨支持部品（１４）をさらに含む、請求項１３に記載の器具。
【請求項１５】
前記人工脛骨が、骨接触面を含む遠位面（３５）と、脛骨支持係合面を含む近位面（３４）とを有する脛骨ベースプレート（１２）と、を備える、請求項１に記載の器具。
【請求項１６】
前記脛骨ベースプレート（１２）に取り付けられた脛骨支持部品（１４）をさらに備える、請求項１５に記載の器具。
【請求項１７】
大腿骨に固定されるよう構成され、それにより前記脛骨支持部品（１４）と関節接続される、大腿骨部品（６０）をさらに含む、請求項１６に記載の器具。
【請求項１８】
遠位面（３５）と、
前記遠位面とは概ね反対側に位置する近位面（３４）と、
前記遠位面と前記近位面との間を延びる周壁（２５）であって、
前縁（２０２）と、
前記前縁とは概ね反対側にあるＰＣＬ切除領域（２８）と、
内側区画（２２）と、
前記内側区画とは概ね反対側にある外側区画（２０）と、を規定する周壁（２５）と、
前記前縁とＰＣＬ切除領域とを二分する前後軸と、を備える人工脛骨であって、
前記内側区画は前記前後軸と協働して内側表面積（ＳＡＭ）を取り囲み、前記外側区画は前記前後軸と協働して外側表面積（ＳＡＬ）を取り囲み、前記内側表面積は前記外側表面積よりも広く、
前記前後軸は解剖学的身体軸に揃えられるよう構成され、前記解剖学的身体軸は、後十字靭帯と脛骨との間の付着領域の幾何学的中心にある後方点（ＣP）から脛骨の前方結節（Ｂ）に配置される前方点（ＣA）まで延びる直線として規定され、前記結節は結節幅（Ｗ）を有し、前記前方点は、前記結節の中点（ＰT）からＷ／６に等しい距離だけ内側方向に離れた位置に配置される、人工脛骨を備える器具。
【請求項１９】
前記人工脛骨は、前記前後軸に対して部品非対称性を有し、前記人工脛骨は、切除された脛骨面の約６０％〜約９０％を覆う、請求項１８に記載の器具。
【請求項２０】
前記人工脛骨の非対称性が、前後長と外周半径とのうちの少なくとも１つに関して前記外側区画（２０）と異なる前記内側区画（２２）を含む、請求項１９に記載の器具。